【手続補正書】
【提出日】平成15年11月19日(2003.11.19)
【手続補正１】
【補正対象書類名】明細書
【補正対象項目名】特許請求の範囲
【補正方法】変更
【補正の内容】
【特許請求の範囲】
【請求項１】
インターカレーション組成物を形成するために、層状物を、少なくとも６個の炭素原子を有するアルキル基を包含するインターカラント表面修飾剤に接触させて得られる、剥離可能なインターカレーション物であって、
該インターカレーション物が、少なくとも１：５のインターカラント表面修飾剤と層間陽イオンとのモル比を有し、隣接する層状物の層間にインターカラント表面修飾剤が収着および複合して、インターカラント表面修飾剤を収着した後の該層状物の隣接する主要な小板間の間隔が少なくとも10Åである、ことを特徴とするインターカレーション物。
【請求項２】
前記インターカレーション組成物中のインターカラント表面修飾剤の濃度が、インターカレーション組成物中の、表面修飾剤用の水−有機溶媒、およびインターカラント表面修飾剤の重量に基づいて少なくとも0.1重量％である請求項１に記載のインターカレーション物。
【請求項３】
前記インターカレーション組成物が、重合可能なモノマー、重合可能なオリゴマー、ポリマー、およびこれらの組合せよりなる群から選択される第２のインターカラントを含み、前記インターカレーション組成物中の第２のインターカラントの濃度が、少なくとも１重量％である請求項２に記載のインターカレーション物。
【請求項４】
前記インターカレーション組成物中の第２のインターカラントの濃度が、少なくとも２重量％である請求項３に記載のインターカレーション物。
【請求項５】
前記インターカレーション組成物中の第２のインターカラントの濃度が、少なくとも30重量％である請求項４に記載のインターカレーション物。
【請求項６】
前記インターカレーション組成物中の第２のインターカラントの濃度が、10重量％から60重量％の範囲にある請求項４に記載のインターカレーション物。
【請求項７】
前記インターカレーション組成物中の第２のインターカラントの濃度が、50重量％から90重量％の範囲にある請求項５に記載のインターカレーション物。
【請求項８】
前記インターカレーション組成物中の第２のインターカラントの濃度が、接触される層状物の乾燥重量に基づき、少なくとも10重量％である請求項３に記載のインターカレーション物。
【請求項９】
前記インターカレーション組成物中の第２のインターカラントの濃度が、接触される層状物の乾燥重量に基づき、16重量％から70重量％の範囲にある請求項８に記載のインターカレーション物。
【請求項１０】
前記インターカレーション組成物中の第２のインターカラントの濃度が、接触される層状物の乾燥重量に基づき、16重量％から35重量％未満の範囲にある請求項９に記載のインターカレーション物。
【請求項１１】
前記インターカレーション組成物中の第２のインターカラントの濃度が、接触される層状物の乾燥重量に基づき、35重量％から55重量％未満の範囲にある請求項９に記載のインターカレーション物。
【請求項１２】
前記インターカレーション組成物中の第２のインターカラントの濃度が、接触される層状物の乾燥重量に基づき、55重量％から200重量％未満の範囲にある請求項８に記載のインターカレーション物。
【請求項１３】
フィロシリケートを剥離する方法であって、以下の工程、すなわち、
少なくとも６個の炭素原子を有するアルキル基を含む少なくとも２重量％のインターカラント表面修飾剤を含んでなるインターカレーション組成物と、フィロシリケートとを接触させて請求項１乃至１２のいずれかに記載のインターカレーション物を形成し、
隣接するフィロシリケート小板の間に、該隣接するフィロシリケート小板を少なくとも10Åの距離まで離間させるに足る量で前記インターカラント表面修飾剤をインターカレーションさせ、および
インターカレーションされたフィロシリケートの小板を分離する、
工程を含む、ことを特徴とするフィロシリケートを剥離する方法。
【請求項１４】
前記インターカレーション組成物が、該インターカレーション組成物の総重量に基づき５重量％から50重量％の水を含む水性担体を含んでなる請求項１３に記載の方法。
【請求項１５】
前記インターカレーション組成物が、10重量％から40重量％の水を含んでなる請求項１４に記載の方法。
【請求項１６】
前記インターカレーション組成物が、重合可能なモノマー、重合可能なオリゴマー、ポリマー、およびこれらの組合せよりなる群から選択される第２のインターカラントをさらに含み、該インターカレーション組成物中の該第２のインターカラントの濃度が、少なくとも１重量％である請求項１３乃至１５のいずれかにに記載の方法。
【請求項１７】
前記インターカレーション組成物に、該インターカレーション組成物の総重量に基づき10重量％から90重量％の濃度で第２のインターカラントを含む請求項１６に記載の方法。
【請求項１８】
その約40重量％から約99.95重量％の量の有機性液体担体、ならびに、請求項１乃至１２のいずれかに記載のインターカレーション物もしくはその剥離物または請求項１３乃至１７のいずれかに記載の方法によって得られるインターカレーション物および／もしくは剥離物を0.05重量％から60重量％含む、ことを特徴とする組成物。
【請求項１９】
前記インターカレーション物が、その大部分が個々の小板にまで剥離されている請求項１８に記載の組成物。
【請求項２０】
前記インターカレーション組成物が、重合可能なモノマー、重合可能なオリゴマー、ポリマー、およびこれらの組合せよりなる群から選択される第２のインターカラントをさらに含み、インターカレーション組成物中の前記インターカラント表面修飾剤の濃度が、少なくとも１重量％の濃度であり、また、インターカレーション組成物中の該第２のインターカラントの濃度が、インターカレーション組成物中のフィロシリケートの乾燥重量に基づき少なくとも４重量％である請求項１８または１９に記載の組成物。
【請求項２１】
前記インターカレーション組成物中の第２のインターカラントの濃度が、該インターカレーション組成物中のフィロシリケートの乾燥重量に基づき、少なくとも15重量％である請求項２０に記載の組成物。
【請求項２２】
前記インターカレーション組成物中の第２のインターカラントの濃度が、インターカレーション組成物中のフィロシリケートの乾燥重量に基づき、少なくとも20重量％である請求項２１に記載の組成物。
【請求項２３】
前記インターカレーション組成物中の第２のインターカラントの濃度が、インターカレーション組成物中のフィロシリケートの乾燥重量に基づき、少なくとも30重量％である請求項２２に記載の組成物。
【請求項２４】
前記インターカレーション組成物中の第２のインターカラントの濃度が、インターカレーション組成物中のフィロシリケートの乾燥重量に基づき、50重量％から80重量％の範囲にある請求項２３に記載の組成物。
【請求項２５】
前記インターカレーション組成物中の第２のインターカラントの濃度が、インターカレーション組成物中のフィロシリケートの乾燥重量に基づき、50重量％から200重量％の範囲にあり、該第２のインターカラントにオニウムイオンまたはシランカップリング剤が含まれていない請求項２３に記載の組成物。
【請求項２６】
前記インターカレーション組成物中の第２のインターカラントの濃度が、少なくとも16重量％である請求項２１に記載の組成物。
【請求項２７】
前記インターカレーション組成物中の第２のインターカラントの濃度が、16重量％から200重量％の範囲にある請求項２６に記載の組成物。
【請求項２８】
前記インターカレーション組成物中の第２のインターカラントの濃度が、16重量％から35重量％の範囲にある請求項２６に記載の組成物。
【請求項２９】
前記インターカレーション組成物中の第２のインターカラントの濃度が、35重量％から55重量％未満の範囲にある請求項２６に記載の組成物。
【請求項３０】
前記インターカレーション組成物中の第２のインターカラントの濃度が、55重量％から70重量％未満の範囲にある請求項２６に記載の組成物。
【請求項３１】
請求項１乃至１２のいずれかに記載のインターカレーション物もしくはその剥離物、請求項１３乃至１７のいずれかに記載の方法によって得られるインターカレーション物および／もしくは剥離物、または請求項１８乃至３０のいずれかに記載の組成物に含まれるインターカレーション物および／もしくは剥離物と、マトリックスポリマーとを含んでなる合成物であって、
該マトリックスポリマーが、エポキシ、ポリアミド、ポリビニルアルコール、ポリカーボネート、ポリビニルイミン、ポリビニルピロリドン、ポリエチレンテレフタレート、ポリブチレンテレフタレート、ならびに、ジヒドロキシエチルテレフタレート、ジヒドロキシブチルテレフタレート、ヒドロキシエチルメチルテレフタレート、ヒドロキシブチルメチルテレフタレートおよびこれらの組合せよりなる群から選択されるモノマーより重合されたポリマーならびにこれらの組合せよりなる群から選択される、ことを特徴とする合成物。
【請求項３２】
前記マトリックスポリマーが、ヒドロキシエチルテレフタレートのポリマーと、ジヒドロキシエチルテレフタレートおよびジヒドロキシブチルテレフタレート、ならびにこれらの組合せよりなる群から選択されるモノマーより重合されたポリマーとの混合物である請求項３１に記載の合成物。
【請求項３３】
前記マトリックスポリマーが、ポリエチレンテレフタレートである請求項３１に記載の合成物。
【請求項３４】
請求項３１乃至３３のいずれかに記載の合成物の製造方法であって、
該合成物が、熱可塑性ポリマー、熱硬化性ポリマーおよびこれらの組合せよりなる群から選択される、10重量％から99.95重量％のマトリックスポリマー、ならびに0.05重量％から60重量％のフィロシリケート物の剥離された小板を含有し、
該小板が、イオン結合、静電気的結合、キレート形成、水素結合、イオン−双極子、双極子／双極子、ファン・デル・ワールス力およびこれらの組合せよりなる群から選択される結合様式を介して、少なくとも６個の炭素原子のアルキル基を含むインターカラント表面修飾剤が、フィロシリケート小板の内側表面の間にインターカレーションして結合している、インターカレーションされたフィロシリケートに由来するものであり、および、
該方法が、以下の工程、すなわち、
フィロシリケートを、水およびインターカラント表面修飾剤を含むインターカラント組成物と接触させて、少なくとも６個の炭素原子を有するアルキル基を含む該インターカラント表面修飾剤が、フィロシリケートの隣接する小板間を少なくとも10Åの距離に広げるに足る量で、該隣接するフィロシリケート小板の間にインターカラント表面修飾剤のインターカレーションを成し遂げ、
前記マトリックスポリマーとインターカレーション物を配合し、
該インターカレーション物の離間した小板を、大部分が個々の小板となるまで剥離し、および
該剥離した小板を前記マトリックスポリマー全体に分散させる、
工程を含む、ことを特徴とする合成物の製造方法。
【請求項３５】
前記インターカレーション組成物が、水、インターカラント表面修飾剤、該フィロシリケート、ならびに、重合可能なモノマー、重合可能なオリゴマー、疎水性ポリマー、およびこれらの組合せよりなる群から選択される第２のインターカラントを含み、該インターカレーション組成物中の該第２のインターカラントの濃度が、少なくとも１重量％である請求項３４に記載の方法。
【請求項３６】
前記インターカレーション組成物が、フィロシリケートの乾燥重量に基づき、10重量％から90重量％の前記第２のインターカラントを含む請求項３４に記載の方法。
【請求項３７】
フィロシリケート物にインターカレーションされるインターカラント表面修飾剤の量が、フィロシリケート物の乾燥重量に基づき、15重量％から80重量％である請求項１または３に記載のインターカレーション物。
【請求項３８】
インターカレーションされるインターカラント表面修飾剤とフィロシリケートの層間陽イオンのモル比が、１：１〜１：５である請求項３７に記載のインターカレーション物。
【請求項３９】
第２のインターカラントとフィロシリケート物との重量比が、20グラムの第２のインターカラントに対し100グラムのフィロシリケート物から、80グラムの第２のインターカラントに対し100グラムのフィロシリケート物までである請求項３８に記載のインターカレーション物。
【請求項４０】
インターカレーション組成物中のインターカラント表面修飾剤とフィロシリケート物の重量比が、１：１〜１：５である請求項１に記載のインターカレーション物。